(57)【特許請求の範囲】
【請求項１】
第一収納箱部分（１１０）と第二収納箱部分（１２０）とを具備している、並列した留め金具の帯板を収納するための留め金具駆動工具用収納箱（１００）において、
該第一収納箱部分（１１０）が、第一前面端部部分（１１４）及び第一背面端部部分（１１６）とを備えた細長い第一側壁（１１２）と、突起（１３６）が突き出す下部部分（１２３）及び上部部分（１１１）とを有しており、
該第二収納箱部分（１２０）が、第二前面端部部分及び第二背面端部部分とを備えた細長い第二側壁（１２２）と、溝（１５０）を伴なった第二下部部分（１２３）及び上部部分（１２１）とを有しており、
該第一収納箱部分と該第二収納箱部分とが組立てられる時、該第一収納箱部分（１１０）の突起（１３６）が該第二収納箱部分（１２０）の溝（１５０）に嵌合可能で摩擦により保持可能となっており、該第一収納箱（１１０）と該第二収納箱とが組立られる場合、該第一収納箱部分（１１０）の該上部部分（１１１）と該第二収納箱部分（１２０）の該上部部分（１２１）とは、両者間に並列した留め金具の帯板を受入れるための該収納箱の外方へ開いた長穴（１６４）が形成されるように離間していることを特徴とする、
留め金具駆動工具用収納箱。
【請求項２】
該第一側壁（１１２）が第一内側面（１１５）を有しており、第一フランジ（１３０）が該第一側壁から横方向に伸びており、該第一フランジ（１３０）は該第一側壁（１１２）の第一下部部分（１１３）にそって配列されており、該突起（１３６）が該第一フランジ（１３０）から下方向に突き出している、請求項１に記載の留め金具駆動工具用収納箱。
【請求項３】
該第二側壁（１２２）が第二内側面（１２５）を有しており、第二フランジ（１４０）が該第二側壁から横方向に伸びており、該第二フランジ（１４０）は該第二側壁（１２２）の第二下部部分（１２３）にそって配列されており、リップ（１４６）が該第二フランジ（１４０）から上方向に伸びており、該リップ（１４６）は該第二側壁（１２２）から離間されており、該第二収納箱部分（１２０）の該溝（１５０）が該リップ（１４６）と該第二側壁（１２２）の部分との間に形成されており、該第二フランジ（１４０）がそのリップ（１４６）とその第二側壁（１２２）の部分との間に延在している、請求項２に記載の留め金具駆動工具用収納箱。
【請求項４】
該第一収納箱部分（１１０）と該第二収納箱部分（１２０）とが組立てられている場合、該突起（１３６）が第一側面部分（１３７）と第二側面部分（１３８）とを有しており、該突起（１３６）の該第一側面部分（１３７）は該リップ（１４６）に摩擦係合しており、該突起（１３６）の該第二側面部分（１３８）が該第二側壁（１２２）の該第二内側面（１２５）に摩擦係合している、請求項３に記載の留め金具駆動工具用収納箱。
【請求項５】
該第一収納箱部分（１１０）の該上部部分（１１１）と該第二収納箱部分（１２０）の該上部部分（１２１）とが、それぞれ第一当て板装着部（１６０）と第二当て板装着部（１６２）とを有しており、該長穴（１６４）が該第一当て板装着部（１６０）と該第二当て板装着部（１６２）との間に形成されている、請求項１〜４のいずれか一項に記載の留め金具駆動工具用収納箱。
【請求項６】
並列した留め金具の帯板から個々の留め金具を順番に受け入れる筒先を有する留め金具駆動工具が、請求項１〜５のいずれか一項に記載の、該並列した留め金具の帯板を受け入れるための収納箱（１００）を具備しており、
該第一収納箱部分（１１０）の該第一前面端部（１１４）と該第二収納箱部分（１２０）の該第二前面端部（１１４）とが留め金具工具の該筒先（３４）に連結されている、
留め金具駆動工具。
【発明の詳細な説明】
【０００１】
【発明の属する技術分野】
本発明は、一般には釘打ち工具、より詳しくは並列した釘の帯板用の収納箱を有する釘打ち工具に関する。
【０００２】
【従来の技術】
釘または具折れ釘の、並列した帯板を収納するための収納箱を有する釘打ち工具は一般に公知であって、仕上げ用材とか、骨組とか、パレットとか、屋根とか、の釘打ちに広く使用されている。収納箱は一般に釘の帯板を収納するために向き合う側壁の間に形成された長手方向のチャンネルを備えている。収納箱の前面端部が工具の筒先に接続されていて、並列した帯板から筒先へ各々の釘を供給しており、収納箱の他の部分はしばしば追加の支持物として工具の他の部分に係合されていて、以上のことは一般に公知である。運転において、収納箱内のばねがそこに収納されている並列した釘の帯板を筒先に向けて付勢し、筒先で釘が並列した帯板からブレードにより一つ一つに切断され、ブレードは釘を製作品に打込む。
【０００３】
例えば、ＩＴＷ社（Ｐａｓｌｏｄｅ，Ｖｅｒｎｏｎ  Ｈｉｌｌｓ，Ｉｌｌｉｎｏｉｓ）により製造されたモデル番号Ｆ−３５０Ｓの帯板の釘打ち工具は、押出し成形された単一部材に形成された一体型収納箱を備えている。現在使われている従来技術を示す図５は、モデル番号Ｆ−３５０Ｓの工具の収納箱の部分図と、押出し成形後の収納箱の向き合う側壁１１と側壁１２との、より詳細な断面図を示している。
【０００４】
従来技術における図５において、押出し成形された一体型収納箱１０は、収納箱の製作を完成するために、押出し成形後コストのかかる数種類の機械加工を必要とする。たとえば、長手方向の長穴が点線で示される素材１３を切削することにより、釘の帯板を収納する収納箱の頂部部分にそって形成される。素材１３の切削は二段階のフライス削り加工で行なわれ以下の二段階を含んでいる。その一段階は、第一側壁１１と第二側壁１２を切り離す粗削り加工である。続く第二段階は、向き合う側壁の間に置かれる仮のスペーサーを用いて行なわれる精密切削加工で、そのスペーサーは精密切削加工の間正しい側壁間の間隔を維持している。多くの他のコストのかかる機械加工がまた一体型収納箱に対して行なわれる。例えば、収納箱の前面端部面と背面端部面、および、収納箱を貫通する窓開口部とはフライス削り加工により形成されていて、さらに収納箱に直交するボルト穴は穴あけ加工で形成される。
【０００５】
他の釘打ち工具は、二つまたは半分の、独立した押出し成形された側壁部分を備えた組立品として形成されている。しかしながら公知の二部品組立型収納箱組立品は収納箱の向き合う側壁部分の間に永久的なスペーサーを必要としていて、そのスペーサーが並列した釘の帯板を収納するために側壁部分の間にチャンネルを正確に形成する。発明の名称が“空気作動式内外装用釘打ち機（Ｐｍｅｕｍａｔｉｃ  Ｔｒｉｍ  Ｎａｉｌｅｒ）”である米国特許第５，８３９，６３８号は、１９９８年１１月２４日に発行されていて、例えば以下のことを開示している。テーパー付きスペーサー部材が、収納箱の向き合う端部の向き合う側壁部分の間に形成された開口部に係合されている。
【０００６】
現在使われている従来技術を示す図６は、米国特許第５，８３９，６３８号にて開示されている典型的な型式である二部品組立型収納箱２０のより詳細な側面図を示していて、その収納箱は、その間に開口部２３を伴なう係合する側壁部分２１と２２とを有していて、開口部にはテーパー付きスペーサー部材が係合されており、そのスペーサー部材は通常ねじ型留め金具で、側壁部分の間隔を保ち係合している。米国特許第５，８３９，６３８号における収納箱はまた、収納箱の端部キャップを係合するボルトを受入れるための長手方向の開口部２５を必要としている。
【０００７】
【発明が解決しようとする課題】
本発明は、並列した釘の帯板のためで時には単なる釘の帯板に関連する、従来の釘打ち工具用収納箱を改善するものである。
【０００８】
本発明の目的は、新規性のある釘打ち工具における釘の帯板用の二部品組立型収納箱と、収納箱の組合せと、収納箱の製作方法とを提供するものであり、収納箱は従来技術の問題点を克服するものである。
【０００９】
本発明のもう一つの目的は、新規性のある釘打ち工具における釘の帯板用の二部品組立型収納箱と、収納箱の組合せと、収納箱の製作方法とを提供するものであり、収納箱は経済的である。
【００１０】
本発明のもう一つの目的は、新規性のある釘打ち用工具における釘の帯板用の二部品組立型収納箱と、収納箱の組合せと、収納箱の製作方法とを提供するものであり、収納箱はスペーサーを必要としない。
【００１１】
本発明のもう一つの目的は、新規性のある釘打ち工具における釘の帯板用の二部品組立型収納箱と、収納箱の組合せと、収納箱の製作方法とを提供するものであり、収納箱はその頂部にそった長穴の形成において機械加工を必要としない。
【００１２】
本発明のもう一つの目的は、新規性のある釘打ち工具における釘の帯板用の二部品組立型収納箱と、収納箱の製作方法とを提供するものであり、収納箱が第一収納箱部分と第二収納箱部分とを有していて、それらの収納箱部分はそれぞれに対応する押出し成形により一部分を製作される。
【００１３】
本発明のもう一つの目的は、新規性のある釘打ち工具における釘の帯板用の二部品組立型収納箱と、収納箱の製作方法とを提供するものであり、収納箱が第一収納箱部分と第二収納箱部分とを有していて、収納箱部分は各々対応する当て板装着部分を持っており押出し成形で形成されている。
【００１４】
本発明のもう一つの目的は、新規性のある釘打ち工具における釘の帯板用の二部品組立型収納箱と、収納箱の組合せと、収納箱の製作方法とを提供するものであり、収納箱は成形加工の後一回またはそれ以上の打ち抜き加工により製作される。
【００１５】
本発明のさらなる特別の目的は、新規性のある釘打ち工具における釘の帯板用の二部品組立型収納箱と、収納箱の組合せと、収納箱の製作方法とを提供するものであり、収納箱が第一収納箱部分と第二収納箱部分を備えていて、各々の収納箱部分は前面端部部分と背面端部部分を伴なう細長い側壁を有している。第一収納箱部分が、突起が突き出す第一下部部分を含んでいて、第二収納箱部分は、溝を伴なう第二下部部分を有している。突起は、第一収納箱部分と第二収納箱部分とを組立てるべく、溝に嵌合可能で摩擦により保持可能である。
【００１６】
本発明におけるこれらおよび他の目的と、形態と、特徴と、利点とは後述の本発明の詳細な説明と添付図面とを注意深く検討することにより明確になる。なお添付図面は理解を助けるためのもので非縮尺であり、構造と方法の段階とが対応する番号と記号とで参照されている。
【００１７】
【課題を解決するための手段】
請求項１に記載の本発明は、第一収納箱部分と第二収納箱部分とを具備している、並列した留め金具の帯板を収納するための留め金具駆動工具用収納箱において、該第一収納箱部分が、第一前面端部部分及び第一背面端部部分とを備えた細長い第一側壁と、突起が突き出す下部部分及び上部部分とを有しており、該第二収納箱部分が、第二前面端部部分及び第二背面端部部分とを備えた細長い第二側壁と、溝を伴なった第二下部部分及び上部部分とを有しており、該第一収納箱部分と該第二収納箱部分とが組立てられる時、該第一収納箱部分の突起が該第二収納箱部分の溝に嵌合可能で摩擦により保持可能となっており、該第一収納箱と該第二収納箱とが組立られる場合、該第一収納箱部分の該上部部分と該第二収納箱部分の該上部部分とは、両者間に並列した留め金具の帯板を受入れるための該収納箱の外方へ開いた長穴が形成されるように離間していることを特徴とする留め金具駆動工具用収納箱を要旨とする。
【００１８】
【発明の実施の形態】
図１において、留め金具駆動工具は一般に胴部材３２を備えていて、筒先３４とハンドル３６が留め金具工具から伸びている。工具はまた、並列した留め金具の帯板を受入れる留め金具駆動工具用収納箱１００を備えている。収納箱１００はその前面端部で、工具の筒先３４に、より好ましくは例えば工具のハンドル３６のような他の部分に結合されている。通常、工具反対側の背面端部部分が端部キャップ３８を含んでいて、その端部キャップは背面端部部分の面１１７に一つまたはそれ以上の留め金具３９により係合され保持されており、その留め金具は背面端部部分に直交して貫通する開口部に係合されている。
【００１９】
一般に工具の操作において、収納箱１００が留め金具を並列した帯金から筒先に順番に送り込んでいて、筒先内のブレードは並列した帯板から個々の留め金具に切断しており、かつ製作品に留め金具を打ち込んでいて、前述したことは公知である。
【００２０】
例示の留め金具駆動工具３０は、空気作動式の帯板の釘打ち工具であるが、他の実施の形態においては、並列した留め金具の帯板を収納する収納箱を有する他の工具の中で、骨組とかパレットとか屋根用の釘打ち工具であってもよい。工具３０はまた、空気ホースから空気を供給される以外の手段を動力源としてもよい。工具は、例えば、工具内または外面に取り付けられたカートリッジから供給されるガスを動力源としてもよい。
【００２１】
図２を説明する。収納箱が一般に、細長い第一側壁１１２を有する第一収納箱部分１１０と、細長い第二側壁１２２を有する第二収納箱部分１２０とを備えていて、その第二側壁は第一収納箱部分１１０の細長い第一側壁１１２に向きあっている。図２に示すように第一収納箱部分１１０および第二収納箱部分各々の側壁と上部部分とは、お互いにほぼ面対称となっている。第一収納部分の第一下部部分と第二収納部分の第二下部部分とは一般に一体に嵌合するよう形造られており、そのため以下に詳細に説明するようにお互いに形状が異なっている。
【００２２】
また第一収納箱部分１１０と第二収納箱部分１２０とは、工具の筒先に連結可能な各々に対応する第一前面端部部分および第二前面端部部分を備えていて、さらに各々に対応する第一背面端部部分および第二背面端部部分を備えている。図１に示すように、第一収納箱部分１１０が細長い第一側壁１１２と、前面端部面１１９を有する第一前面端部部分１１４と、背面端部面１１７を有する第一背面端部部分１１６とを備えている。第二収納箱部分における第二前面端部面と第二背面端部面とは図１に示す構造と同一かまたは同様である。しかしながら、第一収納箱部分１１０および第二収納箱部分１２０各々の前面端部面と背面端部面は異なる形状をしていて、その形状は取り付ける個々の筒先および被せる個々の端部キャップの必要性に応じた形状である。第一収納箱部分１１０および第二収納箱部分１２０各々の前面端部面と背面端部面とにおける精密な形状と構造とは重要なことではなくて、本発明の範囲を制限するものではない。
【００２３】
第一収納箱部分は突起が突き出している第一下部部分を備えていて、第二収納箱部分もまた凹部または溝を有する第二下部部分を備えている。第一収納箱部分と第二収納箱部分とが、第一収納箱部分の突起を第二収納箱部分の溝に嵌合することにより組立てられていて、突起は従来技術で公知の二部品組立型収納箱に必要とされる、スペーサーとか他の留め金具の手段の必要なしに摩擦により保持されている。
【００２４】
図３において、第一側壁１１２は、第一内側面１１５を伴なった下部部分１１３と該第一側壁から横方向に伸びる第一フランジ１３０とを有している。突起１３６が第一フランジ１３０から下方向へ突き出していて、側壁１１２に対し横方向にオフセットしている。第一収納箱部分１１０の第一下部部分１１３から突き出している突起１３６は、好ましくは第一前面端部部分と第一背面端部部分の間のほぼ全部分にそって連続的に伸びている。しかしながら代りの実施の形態においては、突起は第一収納箱部分から突き出す連続する独立した部材または歯状突起を備えていてもよい。
【００２５】
図４において、第二側壁１２２は、第二内側面１２５および第二側壁から横方向に伸びる第二フランジを伴なう下部部分１２３を有している。リップ１４６が第二フランジ１４０から上方向に伸びていて、第二側壁１２２から間隔をおいて配列されており、それによりリップ１４６と第二側壁１２２の下部部分１２３との間に溝１５０を形成していて、第二フランジ１４０がリップと下部部分の間に伸びている。溝１５０は第二収納箱部分の第二下部部分にそって形成されていて、好ましくは第二前面端部部分と第二背面端部部分の間のほぼ全部分にそって連続的に伸びている。
【００２６】
図２において、第一収納箱部分１１０と第二収納箱部分１２０とが組立てられていて、突起１３６は、従来の技術における二部品組立型収納箱に見られるスペーサーの使用なしに、溝１５０に、摩擦により嵌合され摩擦により保持されている。例示の実施の形態において、突起１３６は第一収納箱部分１１０と第二収納箱部分１２０とが横に並んで配列されている場合、溝１５０に上方向から嵌合されてもよく、または代りに突起が両方の収納箱部分端部から溝に摺動的に嵌合されてもよい。図１に示されるように、端部キャップが第一収納箱部分および第二収納箱部分の各々の背面端部面に取り付けられ係合されている。
【００２７】
図３および４において、突起１３６が第一側面部分１３７を有していて、第一側面部分は突起が溝に嵌合する際、リップより好ましくはリップの内側面部分１４７に摩擦により係合する。突起はまた第二側面部分１３８を有していて、第二側面部分は突起が溝に嵌合される際、第二側壁の第二内側面１２５に摩擦により係合する。従って図２に示されるように突起および溝は、組立てられた第一収納箱部分１１０および第二収納箱部分１２０各々の第一側壁１１２と第二側壁を位置決めし、かつ正しく配列する。付け加えると、図１に示されるように組立てられた第一収納箱部分および第二収納箱部分各々の背面端部面の端部キャップ３８が、さらに二つの収納箱部分間の精密な間隔を維持する。
【００２８】
図２において、第一収納箱部分１１０の第一上部側壁部分１１１が第一当て板装着部分１６０を有していて、第二収納箱部分１２０の第二上部側壁部分１２１は第二当て板装着部分１６２を有している。第一当て板装着部分および第二当て板装着部分は第一収納箱部分および第二収納箱部分各々の前面端部部分と背面端部部分との間を連続的に伸びている。
【００２９】
第一当て板装着部分１６０が第一内側面部分１６１を有していて、第一内側面部分は第二当て板装着部分１６２の第二内側面部分１６３と向き合い、かつ間隔を置いて配列されている。従って第一収納箱部分１１０および第二収納箱部分１２０が組立てられる際、両内側面部分の間で長手方向の長穴１６４が形成される。第一当て板装着部分および第二当て板装着部分各々の第一内側面部分１６１と第二内側面部分１６３との間を同一平面上に合わせる事と配列する事とは、収納箱の組立において重要な要因である。というのは、両方の内側面により形成される長手方向の長穴は詰まること（ｊａｍｍｉｎｇ）なく並列した具折れ釘の帯板を収納しなければならないからである。
【００３０】
図３および４において、突起１３６が下部部分１３９を有していて、その下部部分は突起が溝に嵌合される際、第二フランジ１４０の上部部分１４２に近接して係合される。第一フランジ１３０もまた下部部分１３２を有していて、その下部部分は突起が溝に嵌合される際、リップ１４６の上部部分１４８に近接して係合する。第一収納箱部分１１０および第二収納箱部分１２０が組立てられる際、好ましくは突起の下部部分１３９は第二フランジの上部部分１４２に係合し、かつ第一フランジの下部部分１３２はリップの上部部分１４８と係合する際、そのことにより第一収納箱部分１１０および第二収納箱部分１２０が同一面上に合わされていて、より詳しくは第一当て板装着部分１６０および第二当て板装着部分１６２各々に対応する第一内側面部分１６１と第二内側面部分１６３とが向き合って同一面上に合わせられる。代りに、第二フランジの上部部分１４２に係合する下部部分１３９だけか、またはリップの上部部分１４８に係合する第一フランジの下部部分１３２だけが、第一内側面部分１６１および第二内側面部分１６３の間で長穴を形成するために同一面上に合せられてもよい。
【００３１】
図２において、破線で示されている第一当て板１０６と第二当て板１０７とは、例えばステンレス鋼材料で作られていて、各々対応する第一当て板装着部１６０と第二当て板装着部１６２に装着され、そのことは公知である。他の実施の形態においては、当て板１０６と１０７とは、収納箱１００に含まれていなくて、並列した釘の帯板は両方の当て板装着部の第一内側面部分と第二内側面部分との間に直接装着されていて、当て板装着部は当て板を装着する必要がないので異なる形状に形造られてもよい。
【００３２】
第一収納箱部分１１０および第二収納箱部分１２０各々が、好ましくは例えばアルミニウムとかプラスティックとか他の押出し成形可能な他の材料で押出し成形により形成される。第一収納箱部分１１０および第二収納箱部分１２０各々が、好ましくは連続して押出し成形された第一と第二との部材で形成される。言いかえると、第一収納箱部分１１０および第二収納箱１２０各々は押出し成形された在庫材料の比較的長い部分から形成されてもよくて、その材料はその後の製作作業、より好ましくは一回またはそれ以上の打ち抜き加工に必要とされる断面形状を有している。以下により詳細を説明する。
【００３３】
押出し成形された第一収納箱用部材および第二収納箱用部材各々の断面形状は、図２に示す例示の実施の形態における形状に比べて異なっていてもよくて、例示の実施の形態は本発明の範囲を制限するものではない。しかしながら、押出し成形された第一収納箱用部材および第二の収納箱用部材各々の断面形状は、第一収納箱用部材および第二の収納箱用部材各々が、それら両方の下部部分にそって嵌合することを可能にする一般的な構造形状を含んでいて、その構造形状は例えば図２に示される例示の突起と溝形状である。また各々の収納箱用部材の断面形状は、組立られると各々の断面形状の例えば当て板装着部分が形成された上部部分の間に長穴を備えている。第一収納箱部分および第二収納箱部分各々の前面端部面と背面端部面とを含めた他の構造形状は、その後の作業好ましくは釘打ち作業に必要な形状を形成している。
【００３４】
図２における例示の実施の形態において、第一収納箱部分１１０を形成する第一収納箱用部材が、突起１３６が突き出している第一下部部分１１３を伴なった細長い第一側壁面１１２を有するべく押出し成形されていて、また、第二収納箱部分１２０を形成する第二収納箱用部材が、溝１５０を有する第二下部部分１２３伴なった細長い第二側壁面１２２を有するべく押出し成形されている。図３，４においてより詳しく説明する。第一収納箱用部材が突起１３６を有するべく押出し成形されていて、その突起は第一フランジ１３０から下方向に突き出しており、そのフランジが第一側壁面１１２から横方向にその側壁面の下部部分１１３に沿って伸びている。また第二収納部分用部材が溝１５０を有するべく押出し成形されていて、その溝は第二側壁面１２２と側壁面から離れて配列されているリップ１４６の間に形成されており、第二フランジ１４０が側壁面とリップの間に伸びている。
【００３５】
前述のように、第一収納箱部分１１０の突起１３６は、第一収納箱部分および第二収納箱部分を組立る際、従来技術における二部品組立型収納箱で必要とするスペーサーの使用なしに、第二収納箱部分の溝１５０に嵌合可能かつ摩擦により保持可能である。突起および溝が、押出し成形された第一収納箱部分１１０および第二収納箱部分１２０各々を作る第一収納箱用部材と第二収納箱用部材とにより形成されると、突起１３６と溝１５０の摩擦による係合は精密にかつ経済的に調節が可能である。収納箱部分の下部部分は、収納箱部分を工具と端部ピースとに固定するのに必要な以外の追加の留め金具の必要性なしに、組立てられて使用することが出来る。
【００３６】
図２において、第一収納箱部分１１０および第二収納箱部分１２０各々を形成する押出し成形された、第一収納箱用部材と第二収納箱用部材とはまた、各々対応する第一上部側壁部分１１１および第二上部側壁部分１２１各々に対応する第一当て板装着部分１６０と第二当て板装着部分１６２とを有するべく押出し成形されている。第一収納箱用部材および第二収納箱用部材各々の押出し成形中の、第一当て板装着部分１６０と第二当て板装着部分１６２との形成は、収納箱部分が組立てられる際両方の当て板装着部分間に形成される長手方向長穴の寸法を精密に調節し、従来技術における二部品組立型収納箱に見られる長穴の形成に必要なコストのかかる機械加工の必要性を省いている。前記に示唆されるように、第一当て板装着部分および第二当て板装着部分は当て板を装着するべく形造られてもよくて、または当て板を使用することなく並列した釘の帯板を収納するべく形造られてもよい。
【００３７】
例えば図２に示すような必要とされる断面形状を有する、第一収納箱用部材および第二収納箱用部材各々が押出し成形された後で、前面端部面と背面端部面とが、好ましくは打ち抜き加工により両方の収納箱用部材に形成される。このようにして第一収納箱部分および第二収納箱部分が形成される。
【００３８】
図１における例示の実施の形態において、例えば、背面端部面１１７および切欠き１１８各々が、第一収納箱部分１１０の背面端部部分１１６に打ち抜き加工により形成される。同様な切欠き面が第二収納箱部分の第二背面端部部分に形成されてもよい。付け加えると、一つまたはそれ以上の直交する開口部３９が、第一収納箱部分および第二収納箱部分各々の背面端部部分を貫通して、打ち抜き加工により形成される。また図１において、直交する装着用開口部３５が、収納箱１００を工具３０に装着するために、第一収納箱部分および第二収納箱部分を貫通して打ち抜き加工されてもよい。他の実施の形態において、背面端部面の形状および直交する開口部は、例えば異なる端部キャップ形状とか異なる工具装着位置の個々の使用に対する必要性に応じて、例示の形状と異なっていてもよい。
【００３９】
図１における例示の実施の形態において、前面端部面１１９は第一収納箱部分１１０の前面端部部分１１４に、好ましくはまた打ち抜き加工で形成される。同様の切欠き面が第二収納箱部分の第二前面端部部分に形成されてもよい。付け加えると、一つまたはそれ以上の直交した開口部３７が第一収納箱部分および第二収納箱部分各々の前面端部部分に打ち抜き加工で形成される。他の実施の形態において、前面端部面の形状と直交する開口部の形状とは、例えば異なった形状の筒先に装着する例のような個々の使用に対する必要性に応じて、図１における例示の実施の形態に示されている形状と異なってもよい。
【００４０】
図１における例示の実施の形態において、多数の窓１０９が、第一収納箱部分１１０を貫通してその収納箱部分の前面端部部分から背面端部部分の間に、一回またはそれ以上の打ち抜き加工で形成されている。同様の窓が第二収納箱部分に打ち抜き加工されてもよい。従来技術における一体型収納箱において、これらの窓を打ち抜き加工で形成することが不可能だったので、したがってコストのかかるフライス削り加工または他の加工方法で形成されることになる。
【００４１】
二部品組立型収納箱のある実施の形態において、第一収納箱部分および第二収納箱部分各々のある表面または構造形状が、個々の使用における必要性に応じて打ち抜き加工で形成されなくてもよい。本発明のように第一収納箱部分１１０および第二収納箱部分１２０を各々押出し成形された第一部材および第二部材から形成することにより、すべての場合と言わないまでも少なくともある多くの場合において、その収納箱部分のすべての表面および開口部が打ち抜き加工されてよくて、打ち抜き加工は、従来の技術における収納箱において必要とされる、フライス削り加工および穴あけ加工のコストに比較して非常に経済的である。
【００４２】
本発明における前述の内容は、通常の当業者なら実施し、かつ使用することが出来て、現在本発明の最良の形態と考えられる。また通常の当業者なら、ここに示す特定した例示の実施の形態において、変更とか、組合せとか、類似の形態があることを理解し、評価できる。それ故、本発明は、ここに示す例示の実施の形態だけでなく、前述の特許請求の範囲の範囲および精神内におけるすべての実施の形態に制限されるものではない。
【図面の簡単な説明】
【図１】図１は本発明の例示の実施の形態における、並列した釘の帯板用の二部品組立型収納箱を有する、釘打ち工具の斜視図である。
【図２】図２は本発明の例示の実施の形態における、二部品組立型収納箱の部分断面図である。
【図３】図３は本発明における二部品組立型収納箱の第一側壁の拡大部分図である。
【図４】図４は本発明における二部品組立型収納箱の第二側壁の拡大部分図である。
【図５】図５は公知の一体型収納箱の断面図である。
【図６】図６は公知の二部品組立型収納箱の側面図である。
【符号の説明】
１００…収納箱
１１０…第一収納箱部分
１１２…第一側壁
１１３…第一下部部分
１１６…背面端部部分
１１９…前面端部部分
１２０…第二収納箱部分
１２２…第二側壁
１２３…第二下部部分
１３６…突起
１５０…溝
【図１】
0004647754.tif 000002
【図２】
0004647754.tif 000003
【図３】
0004647754.tif 000004
【図４】
0004647754.tif 000005
【図５】
0004647754.tif 000006
【図６】
0004647754.tif 000007